(57)【特許請求の範囲】
【請求項１】
透明なフィルム製の外側包装材(24)を備える立体のシガレットパック(10)であって、前記外側包装材(24)の頂部キャップ(28)を分離するために、前記外側包装材(24)の面上でパックを周回して延出する引き裂き開放ストリップ(26)を有し、前記パック(10)と前記外側包装材(24)との間には、クーポンなどのプリント媒体(30)が配置されており、下記の(a)〜(c)を特徴とするパック。
(a)前記プリント媒体(30)は、互いに並ぶ少なくとも２つの脚部(34,35)を形成するように折り曲げられる
(b)シガレットパック(10)と向き合うプリント媒体(30)の脚部(34)は、小さい、すなわち、容易に釈放される接着剤スポット(36)によってシガレットパック(10)に釈放可能に接続される
(c)外側包装材(24)と向き合う折り曲げられたプリント媒体(30)の脚部(35)は、引き裂き開放ストリップ(24)によって分離される外側包装材(24)のキャップ(28)に接続されている
【請求項２】
プリント媒体(30)がアコーディオンまたはジグザグの形態に折り曲げられる点を特徴とする請求項１記載のシガレットパック。
【請求項３】
下記の(a)〜(e)を特徴とする請求項１または２記載のシガレットパック。
(a)前記シガレットパック(10)は、ボックス部(11)と蓋(12)を備えるヒンジ蓋付きパックである
(b)折り曲げられたプリント媒体(30)は、蓋(12)の端部壁(22)と接している
(c)折り曲げられたプリント媒体(30)の寸法は、端部壁(22)を殆ど被覆する程度に端部壁(22)の寸法よりも小さい
(d)端部壁(22)と向き合うプリント媒体(30)の脚部(34)は、端部壁(22)に接続されている
(e)外側包装材(24)と向き合うプリント媒体(30)の脚部(35)は、外側包装材(24)のキャップ(28)の外側端部壁(25)に接続されている
【請求項４】
プリント媒体(30)の脚部(34,35)は、容易に釈放可能な接着剤スポット(36)によって、一方が蓋(12)の端部壁(22)に、他方が外側包装材(24)に接続されている点を特徴とする請求項３記載のシガレットパック。
【請求項５】
折り曲げられたプリント媒体(30)は、容易に釈放可能な接着剤としての接着ストリップ(33)によって、折り曲げられた位置に一体として保持されている点を特徴とする請求項２記載のシガレットパック。
【発明の詳細な説明】
【０００１】
この発明は、パックの内容物を収容するためのパック、特に、シガレットパックを収納し、透明なフィルムから製造される外側包装材と、１つのプリント媒体すなわちパックと外側包装材の間に設けられた別体のブランクからなるクーポンとを有する包装体ユニットに関する。
【０００２】
シガレットパックの場合は特に、パックに広告目的に適う情報や、賞品付きの抽選会への参加資格を提供するプリント媒体を取り付ける増大しつつあるニーズが存在する。通常は、透明なフィルムから作られる外側包装材を備えるシガレットパックの場合は、プリント媒体（クーポン）をパックと外側包装材の間に配置することが有利である。このことは、パックが損なわれていなければ、プリント媒体が外側から見えることを意味する。
【０００３】
この発明の目的は、そのようなパックまたはパックユニットの場合に、もっと大量の情報がプリント媒体を介して与えられるようにプリント媒体を設計して配置することであり、パックが始めて開封されるとき、情報の表示に改良が存在する。
【０００４】
この目的を達するために、この発明のパックは、プリント媒体がアコーデオンまたはジグザグの形態に折り曲げられる点に特徴を有する。
【０００５】
プリント媒体の折り曲げられた配置によって、前記プリント媒体は、比較的長いストリップ状のブランクとして設計され、前記ブランクは、適当な場合は、副分割から更に細分化したかなり大量の異種の情報を保持する。ジグザグの折り曲げ構造は、ブランクすなわちプリント媒体を広げるのに便利である。折り曲げられた状態では、プリント媒体は、小さい表面エリアを備える一つの構造体を構成し、全体に亘って、少量のスペースを占めるだけである。
【０００６】
一つの特別な様相は、（折り曲げられた）プリント媒体が、パックが最初に開封または使用されたとき、プリント媒体が自動的に広がるようにパックの設計と調整されることである。この目的のために、プリント媒体は、容易に釈放できる態様でパックと包装材に接続される。包装材の一部が取り除かれると、プリント媒体が、特に、取り除かれる外側包装材の（頂部の）キャップを介して広げられる。
【０００７】
プリント媒体と前記プリント媒体を備えるパックの模範具体例を添付図面を参照しつつより詳細に説明する。
【０００８】
図に描かれた細部は、ヒンジ蓋付きボックス型のシガレットパック１０に関する。そのようなパックは、（薄い）カードボードからなる。立体のヒンジ蓋付きボックス１０は、（底部）ボックス部１１、（頂部の）蓋１２を有する。ボックス部１１は、前部壁１３、反対側の後部壁１４、および、幅の狭い直立した側部壁１５、１６および底部壁１７によって区画される。これに対応して、蓋１２は、蓋の前部壁１８、蓋の後部壁１９、側部壁１５、１６および底部壁１７と向き合う頂部端部壁と隣接する細長い蓋の側部壁２０、２１を備える。ボックス部１１と蓋１２は、後部壁１４と蓋の後部壁１９の区域において関節線２３によってスイングアクションで互いに接続される。
【０００９】
こうして形成されたパックすなわちヒンジ蓋付きボックス１０は、それが最初に使用される前は、薄い外側包装材２４によって包囲される。この外側包装材は、薄い透明なフィルムで構成される。この外側包装材は、ヒンジ蓋付きボックス１０全体を包囲するが、それはボックス全体にフィットしなければならず、頂部の外側端部壁２５はこの過程で形成される。
【００１０】
ヒンジ蓋付きボックス１０と外側包装材２４からなるパックユニットを最初に開封するために、外側包装材の一部が取り除かれる。この目的で、頂部区域に、引き裂き用一周ストリップ２６が備えられる。このストリップは、接着またはシールによって知られた態様で外側包装材２４のブランクに接続される。引き裂き用ストリップ２６は、一方の側部壁の区域に、手でグリップすることができるグリップタブ２７を備える。前記グリップタブは、引き裂き用ストリップ２６を援用して外側包装材２４を開くためにグリップされる。
【００１１】
引き裂きストリップ２６は、外側包装材２４の頂部のサブ区域、すなわち、キャップ２８が底部から切り離されるように設けられる。この切り離し作業に続いて、前記キャップは、パックすなわちヒンジ蓋付きボックス１０から上方に持ち上げることができる（図５参照）。このことは、少なくとも蓋１２が完全に露出されることを意味するから、蓋１２を開くことを介して、パックの内容物にアクセスすることが可能であることを意味する。カップ状の底部フィルム部分２９はヒンジ蓋付きボックス１０またはボックス部１１に残存して差し支えない。
【００１２】
パックすなわちヒンジ蓋付きボックス１０を有するパックユニットは、プリント媒体３０に充当される。プリント媒体は、特に紙製の薄いブランク（図３）を備える。プリント媒体３０は、その片面または両面に、情報、広告、その他を備える。しかしながら、プリント媒体３０を前部または一部が、賞品抽選会への参加用クーポンとして切り離せるようにすることも可能である。
【００１３】
プリント媒体３０のブランクは、細長いストリップ状の構造体（図３）である。プリント媒体３０は、横断方向を向く折り曲げ線３１を介して、一緒に折り曲げられて比較的小さなコンパクトなアセンブリーを形成する（図４参照）。この折り曲げは、折り曲げ線３１によって区画されるプリント媒体３０の複数のセクション３２がジグザグ状に、または、アコーデオン態様に折り曲げられるように行われる。
【００１４】
プリント媒体３０は、工場において予め有利に組み立て、すなわち折り曲げられて、いつでも包装することが可能な状態で送られる。折り曲げ位置を確定するために、図４によれば、小さな非突出性の接続手段、すなわち、例えば接着剤のストリップ３３、小さいテープその他が設けられる。
【００１５】
接着剤の前記ストリップ３３は、折り曲げたプリント媒体を、輸送中、貯蔵中および包装中に、維持するためだけの機能を有する。
【００１６】
折り曲げられたプリント媒体３０は、パックすなわちヒンジ蓋付きボックス１０と外側包装材２４の間に配置される。プリント媒体３０は、蓋の端部壁２２の区域、すなわち、前記端部壁２２と外側包装材の外側端部壁２５の間に有利に配置される。プリント媒体３０は、折り曲げすなわち図４に示す状態に引き続いて、端部壁２２の表面エリアが出っ張り過ぎないようにその大きさが決められる。現模範具体例においては、プリント媒体３０は、端部壁２２と大体同じ幅であり、ながさにおいてはこれよりも僅かに小さい。
【００１７】
このプリント媒体３０は、パックユニットが開かれるとき、プリント媒体３０が自動的に広がるように特別な態様でフィット、すなわち固定される。この目的で、端部壁２２に向かう１つの脚部３４‐図３のブランクの境界区域‐が、容易に釈放できる態様で端部壁２２に接続される。脚部３４とは反対側の脚部３５は、対応して外側端部壁２５の内側に接続される。この接続は、接着剤のスポット３６によって発生する。接着剤のスポット３６は、一旦外側包装材２４が開かれると、プリント媒体３が、外側包装材２４から容易に釈放されるように形成され、大きさが決められる。特に、前記接着剤は、剥離する性質を備える。
【００１８】
プリント媒体３０の配置とその折り曲げは、キャップ２８を引き千切ることを介して外側包装材２４が開かれると自動的に広がることを保証する。プリント媒体３０は、前記キャップ２８内に固定されるので、キャップがパックすなわちヒンジ蓋付きボックス１０から持ち上げられると、プリント媒体３０は、これが端部壁２２に接続される結果として、広げられる。
【００１９】
プリント媒体３０が取り外された後、ヒンジ蓋付きボックス１０が従来通りの態様で使用される。
【００２０】
参照符号のリスト
１０…ヒンジ蓋付きボックス            ２４…外側包装部材
１１…ボックス部                      ２５…外側端部壁
１２…蓋                              ２６…引き裂き用ストリップ
１３…前部壁                          ２７…グリップタブ
１４…後部壁                          ２８…キャップ
１５…側部壁                          ２９…底部フィルム部
１６…側部壁                          ３０…プリント媒体
１７…底部壁                          ３１…折り曲げ線
１８…蓋の前部壁                      ３２…セクション
１９…蓋の後部壁                      ３３…接着剤ストリップ
２０…蓋の側部壁                      ３４…脚部
２１…蓋の側部壁                      ３５…脚部
２２…端部壁                          ３６…接着剤スポット
２３…関節線
【図面の簡単な説明】
【図１】  折り曲げられたプリント媒体を備える（シガレット）パックの斜視図。
【図２】  外側包装材をを有する図１のパック。
【図３】  展開状態のプリント媒体用のブランク。
【図４】  ジグザグ形態に折り曲げられたプリント媒体の斜視図。
【図５】  開封された場合の（シガレット）パックの側面図を示す。
【図１】
0004068303.tif 000002
【図２】
0004068303.tif 000003
【図３】
0004068303.tif 000004
【図４】
0004068303.tif 000005
【図５】
0004068303.tif 000006